(57)【要約】【課題】トースターを使用する人の所望の図柄のパンを自在に焼き上げることができるトースターおよびそれを使用したパン焼きシステムを提供する。【解決手段】図形入力手段１と、この図形入力手段１に接続されたコンピュータ２と、このコンピュータ２に接続されたトースター１０とからなり、トースター１０はコンピュータ２に制御されるコントローラ１１と、このコントローラ１１により個別に加熱制御される加熱ヒーター１２を備え、トースター１０は、図形入力手段１よりコンピュータ２に入力された図形と同様の絵柄をパン４に焼き上げる構成とした。【選択図】　　　　図１
2004016790.tif 000002
【特許請求の範囲】
【請求項１】
コンピュータに制御されるコントローラと、前記コントローラにより個別に加熱制御される加熱ヒーターを備え、
前記コンピュータに入力された図形と同様の絵柄をパンに焼き上げることを特徴とするトースター。
【請求項２】
前記加熱ヒーター、複数のドット型ヒーターを備えていることを特徴とする請求項１に記載のトースター。
【請求項３】
図形入力手段と、前記図形入力手段に接続されたコンピュータと、前記コンピュータに接続されたトースターとからなり、
前記トースターは前記コンピュータに制御されるコントローラと、前記コントローラにより個別に加熱制御される加熱ヒーターを備え、
前記トースターは、前記図形入力手段よりコンピュータに入力された図形と同様の絵柄をパンに焼き上げることを特徴とするパン焼きシステム。
【請求項４】
前記図形入力手段は、スキャナ、デジタルカメラ、カメラ付携帯電話およびインターネットで接続された他のコンピータであることを特徴とする請求項３に記載のパン焼きシステム。
【発明の詳細な説明】
【０００１】
【発明の属する技術分野】
本発明は、パンを焼くトースターに係り、特にＵＳＢ（ユニバーサル・シリアル・バス）インターフェースを備えコンピュータの制御により所望の絵柄や記号などを焼くことのできるトースターおよびそれを使用したパン焼きシステムに関する。
【０００２】
【従来の技術】
従来、パンを焼くトースターは、加熱用のヒーターが設けられたトースター内にパンを入れ、タイマーで設定された時間に応じて焼き上がるように構成されている。このようなトースターには、子供などの食欲増進のため、アニメ用キャラクターなどの絵柄を焼くことのできるトースターもあった。このトースターは、図４に示すように、予め図柄用の特別な形状の加熱用ヒーター２０を組み込むか、或いは、図５に示すように、加熱用ヒーターとパンとの間に予め所望の図柄のパターンマスク３０を取り付け、必要な箇所のみを加熱し不要な箇所は熱を遮断することにより所望の図柄が焼き上がるようにしたものである。
【０００３】
【発明が解決しようとする課題】
しかしながら、上述した従来のトースターにおいては、図柄用の特別な加熱用ヒーター２０を組み込む場合は、トースターの製造段階で組み込むため、特定の一種類の図柄しかできないという問題があった。また、パタターンマスク３０を取り付けるものは、パタターンマスク３０を交換できるので数種類が可能になるが、トースターの製造会社などで予め定められた図柄なので、自分の所望する図柄とは限らず、到底不特定多数の要望を満足させるものではなかった。
【０００４】
本発明は上述した従来の問題点に鑑みなされたもので、トースターを使用する人の所望の図柄のパンを自在に焼き上げることができるトースターおよびそれを使用したパン焼きシステムを提供するものである。
【０００５】
【課題を解決するための手段】
本発明のトースターは、コンピュータに制御されるコントローラと、前記コントローラにより個別に加熱制御される加熱ヒーターを備え、前記コンピュータに入力された図形と同様の絵柄をパンに焼き上げることを特徴とし、加熱ヒーターは、複数のドット型ヒーターであることを特徴とするものである。
【０００６】
また、本発明のパン焼きシステムは、図形入力手段と、前記図形入力手段に接続されたコンピュータと、前記コンピュータに接続されたトースターとからなり、前記トースターは前記コンピュータに制御されるコントローラと、前記コントローラにより個別に加熱制御される加熱ヒーターを備え、前記トースターは、前記図形入力手段よりコンピュータに入力された図形と同様の絵柄をパンに焼き上げることを特徴とするものである。
【０００７】
さらに、本発明のパン焼きシステムにおける図形入力手段は、スキャナ、デジタルカメラおよびカメラ付携帯電話およびインターネットで接続された他のコンピュータであることを特徴とするものである。
【０００８】
【発明の実施の形態】
本発明に係るトースターおよびそれを使用したパン焼きシステムの実施の形態を図に基づいて説明する。
図１は、本発明のパン焼きシステムの構成を示す斜視図、図２は図１のパン焼きシステムの構成を示すブロック図、図３は本発明のトースターの加熱ヒーターを示す平面図、図４は本発明ののトースターに使用するドット型ヒーターを示す側面の断面図である。
【０００９】
本発明に係るパン焼きシステムは、図１または図２に示すように、図形入力手段１と、この図形入力手段１に接続されたコンピュータ２と、前記コンピュータ２に接続されたトースター１０とからなり、前記トースター１０は前記コンピュータに制御されるコントローラ１１と、前記コントローラ１１により個別に加熱制御される複数のドット型ヒーター１２から構成されている。そし、このパン焼きシステムは、前記図形入力手段１よりコンピュータ２に入力された図形４と同様の絵柄をパン５に焼き上げるものである。
【００１０】
このパン焼きシステムに使用される図形入力手段１は、所望する図柄を入力するための装置で、通常は描かれた図形や図のコピー、或いは写真などをそのまま入力できるスキャナ１ａが使用される。また、入力手段としては、撮影した画像をそのままデジタルデータとしてコンピュータに入力できるデジタルカメラ１ｂが使用できるものである。
【００１１】
このデジタルカメラ１ｂでは、家族の子供の顔や家族の顔などを撮影して、その場でパンに焼き上げることができるし、また、動物園に行って撮影した動物の画像や遊園地などに行って撮影した画像などを持ち帰えり、デジタルカメラ１ｂをパソコン２に接続して気に入った画像をそのままパンに焼き上げることができるものである。また、図形入力手段１としては、カメラ機能を備えた携帯電話１ｃやイーターネットを利用して他のコンピュータ１ｄより入力する画像も使用できるものである。
【００１２】
また、コンピュータ２は、一般家庭で使用するパーソナルコンピュータ（パソコン）などであり、公知のＣＰＵ（セントラル・プロセッサ・ユニット）、メモリ、ディスプレイ、キーボードを備えるものであるが入力、出力端子として、ＵＳＢ（ユニバーサル・シリアル・バス）ポートを備えるものである。このコンピュータ２は、前述した図形入力手段１からの画像を取り入れてトースター１０に出力することができるのは勿論のこと、キーボードやマウスなどでコンピュータ２が作成した画像をトースター１０に出力することができると共に作成した画像をメモリに格納することができるものである。
【００１３】
また、このパン焼きシステムに使用されるトースター１０は、コンピュータ２のＵＳＢポートに接続されるＵＳＢインターフェースを有しており、コンピュータ２からの画像データを入力するコントローラ１１と、コントローラ１１に制御される加熱ヒーター１２を備えたもので、図３に示すように、加熱ヒーター１２を加熱することにより所望の画像を得るものである。
【００１４】
この加熱ヒーター１２は、トースター１０の挿入部１５のパン５に対向する一方の壁面に取り付けられており、他方の壁面にも加熱ヒーター１３が配設されている。また、コントローラ１１と加熱ヒーター１２の間にはスイッチ回路１４が設けられており、電源コネクタ１５からの電力はスイッチ回路１４を経由して加熱ヒーター１２に供給されるようになっている。
【００１５】
また、加熱ヒーター１２は、図３に示すように、ヒーターパネル１２ｂに複数のドット型ヒーター１２ａが取り付けられたものである。このドット型ヒーター１２ａは、図４に示すように、ヒーターパネル１２ｂに固定された円筒形のヒーターカバー１２ｃの内部の先端側にニクロム線などの電気ヒーター１２ｄが装着されもので、この電気ヒーター１２ｄはコントローラ１１で制御されるスイッチ回路１４により、図形に応じた必要な箇所のみがオンされるものである。
【００１６】
また、ヒーターカバー１２ｃは電気ヒーター１２ｄの熱を効率良く対面のパン４に届くようにしたもので、セラミックなどの耐熱性の高い材料で形成されたものである。先端側側のみ開口され、基部側は電気ヒーター１２ｄの固定と断熱のため耐熱性の絶縁材で充填されている。このヒーターカバー１２ｃにより、電気ヒーター１２ｄの熱は周囲に拡散せず先端側のパン４を集中的に加熱するものである。
【００１７】
スイッチ回路１４は、コントローラ１１によりオン・オフ制御されるもので、加熱ヒーター１２ｃに電源がＡＣがそのまま使用される場合にはソレノイドなどを使用して回路を断続できるメカスイッチを使用してもよく、ＤＣ電源を使用する場合は、ＳＣＲなどの半導体スイッチング素子を使用できる。
【００１８】
このように構成されたトースター１０は、コンピュータ２からの画像データにより、図３に示すように、コントローラ１１が画像に相当する必要なドット型ヒーター１２ａのみのスイッチ回路１４をオンとするので、パン４には所望の画像の線がドットとして焼き付けられるものである。画像以外の場所は完全なオフ状態てはなく、弱い加熱状態にコントロールされるものである。
【００１９】
また、このように構成されたトースター１０を使用したパン焼きシステムは、コンピュータ２で作成した画像は勿論のこと、スキャナ１ａやデジタルカメラ１ｂ、カメラ付きの携帯電話１ｃおよび他のコンピュータ１ｄなどの各種の入力手段１から入力する画像もパン４に焼き付けることが可能となるものである。
【００２０】
尚、本発明は、上述した実施の形態に限定されるものではなく特許請求の範囲内において様々な態様が可能なことは勿論である。
例えば、加熱ヒーターとしてドット型ヒーター以外のものであっても、自在に図形を表示できるものであればどのような型でも可能であることは勿論である。さらに、図形入力手段として上述したスキャナ、デジタルカメラ、カメラ付携帯電話および他のコンピータ以外にもコンピュータで図形データとして入力できる情報機器であれば可能なことは勿論である。
【００２１】
【発明の効果】
以上のように、本発明のトースターは、コンピュータに制御されるコントローラと、前記コントローラにより個別に加熱制御される加熱ヒーターを備え、前記コンピュータに入力された図形と同様の絵柄をパンに焼き上げることにより、特に子供達に人気のあるキャラクターなどを自在に焼くことができるので、子供達の食欲増進に効果を奏するものである。
【００２２】
また、本発明のパン焼きシステムは、図形入力手段と、前記図形入力手段に接続されたコンピュータと、前記コンピュータに接続されたトースターとからなり、前記トースターは前記コンピュータに制御されるコントローラと、前記コントローラにより個別に加熱制御される複数のドット型ヒーターを備え、前記トースターは、前記図形入力手段よりコンピュータに入力された図形と同様の絵柄をパンに焼き上げることにより、子供達に人気のある動物の絵や写真等をコンピュータに入力してパンに焼き付けることができるので、子供達の食欲増進に効果を奏するものである。
【図面の簡単な説明】
【図１】本発明のパン焼きシステムの実施の形態を示す斜視図である。
【図２】図１のパン焼きシステムの構成を示すブロック図である。
【図３】本発明のトースターの加熱ヒーターを示す正面図である。
【図４】本発明のトースターのドット型ヒーターを示す断面図である。
【図５】従来のトースターのヒーターを示す斜視図である。
【図６】従来のトースターのパターンマスクを示す斜視図である。
【符号の説明】
１　　　図形入力手段
２　　　コンピュータ
３　　　入力図形
４　　　パン
１０　　　トースター
１１　　　コントローラ
１２　　　加熱ヒーター
１２ａ　　ドット型ヒーター
１２ｂ　　ヒーターパネル
１２ｃ　　ヒーターカバー
１２ｄ　　電熱ヒーター
１３　　　加熱ヒーター
１４　　　スイッチ回路
１５　　　電源プラグ
【図１】
2004016790.tif 000003
【図２】
2004016790.tif 000004
【図３】
2004016790.tif 000005
【図４】
2004016790.tif 000006
【図５】
2004016790.tif 000007
【図６】
2004016790.tif 000008